(57)【特許請求の範囲】
【請求項１】
鉄塔を構成する主柱材を囲繞して覆うカバー部材を設けるとともに、カバー部材と主柱材との間に所定の間隙を形成するためのスペーサ部材を設けるようにした鉄塔主柱の落雪防止装置において、カバー部材に目合い寸法３０〜６０ｍｍの合成樹脂製のシート状のネット部材を用いるとともに、スペーサ部材に合成樹脂製の筒状で少なくとも一端に筒軸方向の糸が突出したネット部材を用い、スペーサ部材の突出した筒軸方向の糸が、カバー部材の網目に挿入、係止されるようにしたことを特徴とする鉄塔主柱の落雪防止装置。
【請求項２】
カバー部材に筒状になる巻き癖を有する合成樹脂製のシート状のネット部材を用いたことを特徴とする請求項１記載の鉄塔主柱の落雪防止装置。
【発明の詳細な説明】
【技術分野】
【０００１】
本発明は、鉄塔に降着した雪が雪塊や氷塊となって落下することによる落雪被害を防止する鉄塔主柱の落雪防止装置に関し、特に、鉄塔を構成する主柱材を囲繞して覆うカバー部材によって雪を捕捉して雪が雪塊や氷塊となって落下することによる落雪被害を防止するようにした鉄塔主柱の落雪防止装置に関するものである。
【背景技術】
【０００２】
鉄塔に降雪があると、鉄塔を構成する各構成部材に着雪する。
鉄塔を構成する構成部材は、主に、山型鋼、鋼管を用いて形成され、その使用部位により、鉄塔の主柱となる主柱材、アングルを形成する斜材、水平に設けられる水平材、突出して設けられる腕金部等に分けられるが、着雪はすべての構成部材に発生する。
着雪は集積されて次第に成長し、やがて自重、風圧等により崩壊して雪塊となり地上へ落下したり、さらに、寒暖が繰り返されることにより、着雪が氷塊となって地上へ落下し、鉄塔下の通行人、構造物、農作物等に当たって被害をもたらすことがあった。
【０００３】
このような鉄塔に降着した雪が雪塊や氷塊となって落下することによる落雪被害を防止するために、従来より、鉄塔の下方の周囲に防護ネットを張り巡らせ、この防護ネットによって鉄塔からの落雪を受け止めるようにしたり、鉄塔を構成する構成部材に融雪ヒータを敷設し、融雪ヒータによって着雪の成長を防止したり、鉄塔を構成する構成部材に難着雪性塗料を塗布し、着雪を防止する等、種々の対策が提案されている。
しかしながら、これらの対策は、防護ネットを用いる場合には、設備が大がかりなって設備コストが増大するとともに、景観を損ねることになり、融雪ヒータを用いる場合には、電気エネルギ等の熱量を大量に消費することになり、難着雪性塗料を用いる場合には、塗料の塗り替えを頻繁に行う必要があり、保守コストが増大する等、いずれも問題を抱えており、より効果的な対策が要請されていた。
【０００４】
一方、設備が大がかりにならず、エネルギの供給が不要で、設備コスト及び保守コストを低減できるものとして、鉄塔を構成する鉄塔構成部材を囲繞して覆うカバー部材を設けるとともに、このカバー部材と主柱材との間に所定の間隙を形成するためのスペーサ部材を設けるようにした鉄塔の落雪防止装置が提案されている（特許文献１参照）。
この鉄塔の落雪防止装置は、上記の利点を有するものであるが、鉄塔を構成する主柱材の場合には、カバー部材を安定して取り付けにくく、かつ、取付に多大な手間を要するという問題があった。
【特許文献１】特開平６−８１５１７号公報
【発明の開示】
【発明が解決しようとする課題】
【０００５】
本発明は、上記従来の落雪防止装置の有する問題点に鑑み、設備が大がかりにならず、エネルギの供給が不要で、設備コスト及び保守コストを低減できるとともに、鉄塔を構成する主柱材にカバー部材及びスペーサ部材を安定して、かつ、手間をかけずに取り付けることができる鉄塔主柱の落雪防止装置を提供することを目的とする。
【課題を解決するための手段】
【０００６】
上記目的を達成するため、本発明の鉄塔主柱の落雪防止装置は、鉄塔を構成する主柱材を囲繞して覆うカバー部材を設けるとともに、カバー部材と主柱材との間に所定の間隙を形成するためのスペーサ部材を設けるようにした鉄塔主柱の落雪防止装置において、カバー部材に目合い寸法３０〜６０ｍｍの合成樹脂製のシート状のネット部材を用いるとともに、スペーサ部材に合成樹脂製の筒状で少なくとも一端に筒軸方向の糸が突出したネット部材を用い、スペーサ部材の突出した筒軸方向の糸が、カバー部材の網目に挿入、係止されるようにしたことを特徴とする。
【０００７】
この場合において、カバー部材に筒状になる巻き癖を有する合成樹脂製のシート状のネット部材を用いることができる。
【発明の効果】
【０００８】
本発明の鉄塔主柱の落雪防止装置によれば、鉄塔を構成する主柱材を囲繞して覆うカバー部材を設けるとともに、カバー部材と主柱材との間に所定の間隙を形成するためのスペーサ部材を設けるようにすることにより、設備が大がかりにならず、エネルギの供給が不要で、設備コスト及び保守コストを低減でき、さらに、カバー部材に目合い寸法３０〜６０ｍｍの合成樹脂製のシート状のネット部材を用いるとともに、スペーサ部材に合成樹脂製の筒状で少なくとも一端に筒軸方向の糸が突出したネット部材を用い、スペーサ部材の突出した筒軸方向の糸が、カバー部材の網目に挿入、係止されるより、カバー部材とスペーサ部材とが嵌合することによってスペーサ部材の移動が阻止されてカバー部材とスペーサ部材との一体性が向上し、鉄塔を構成する主柱材にカバー部材及びスペーサ部材を安定して、かつ、手間をかけずに取り付けることができ、スペーサ部材の取付箇所を低減できることと相俟ってメンテナンスが容易になり、また、スペーサ部材を設けることによる雪の保持スペースの減少量が少なく、カバー部材と主柱材との間に形成された間隙に雪を安定して保持することができる。
そして、カバー部材と主柱材との間に形成された間隙に保持された雪は、溶けるまでそのまま保持され、また、万一落下しても、カバー部材によって分割されて大きな塊のままで落下することがないため、雪塊や氷塊となって落下することによる落雪被害を確実に防止することができる。
【０００９】
また、カバー部材に筒状になる巻き癖を有する合成樹脂製のシート状のネット部材を用いることにより、鉄塔を構成する主柱材にカバー部材を取り付ける際の作業性を向上することができる。
【発明を実施するための最良の形態】
【００１０】
以下、本発明の鉄塔主柱の落雪防止装置の実施の形態を、図面に基づいて説明する。
【実施例１】
【００１１】
図１に、本発明の鉄塔主柱の落雪防止装置の一実施例を示す。
この鉄塔主柱の落雪防止装置は、鉄塔を構成する主柱材Ｓを囲繞して覆うカバー部材１を設けるとともに、カバー部材１と主柱材Ｓとの間に所定の間隙を形成するためのスペーサ部材２を設けるようにしたもので、カバー部材１に合成樹脂製のシート状のネット部材を用いるとともに、スペーサ部材２に合成樹脂製の筒状のネット部材を用いるようにしている。
【００１２】
この場合において、カバー部材１に用いる合成樹脂製のシート状のネット部材には、目合い寸法３０〜６０ｍｍ、より好ましくは、４０〜５０ｍｍのものを用いるようにする。
目合い寸法が、３０ｍｍより小さいと、雪によって網目が閉塞され、カバー部材１と主柱材Ｓとの間に形成された間隙に雪を安定して保持することができなくなりやすく、一方、６０ｍｍより大きいと、大きな塊のままで雪塊や氷塊が落下し、落雪被害を確実に防止することができないものとなる。
【００１３】
そして、カバー部材１に用いるシート状のネット部材は、特に限定されるものではないが、例えば、周上に縦糸を連続押し出ししながら横糸を溶融着することで筒状のネット部材を連続的に製造し（特開昭６０−７８７１６号公報参照）、その後、筒状のネット部材を筒軸方向に切開することにより得ることができる（タキロン社製「トリカルネット」（商品名））。
また、ネット部材を構成する合成樹脂には、特に限定されるものではないが、好ましくは、紫外線劣化防止剤を配合した高密度ポリエチレン樹脂を用いることができ、これにより、カバー部材１の耐久性を一層向上することができる。
また、この合成樹脂には、比較的柔軟な材料を用いることが好ましく、これにより、カバー部材１を取り付ける際の作業性を向上することができる。
【００１４】
そして、このようにして得たネット部材は、縦糸に横糸が溶融着した一体角目構造であることと相俟って、特に、低温下における繰り返し応力に対する耐久性に優れ、鉄塔に装着された劣悪な環境下での長期間（１０年程度）の使用に十分耐えることができる。
【００１５】
また、このネット部材は、そのままの状態で筒状になる巻き癖を有するシート状のネット部材となることから、これをカバー部材１に用いることにより、鉄塔を構成する主柱材Ｓにカバー部材１を装着する際にカバー部材１が主柱材Ｓに自然に巻き付くようになり、カバー部材１を取り付ける際の作業性を向上することができる。
【００１６】
また、スペーサ部材２に用いる合成樹脂製の筒状のネット部材には、特に限定されるものではないが、例えば、目合い寸法１０〜５０ｍｍのものを用いるようにする。
目合い寸法が、１０ｍｍより小さいと、カバー部材１とスペーサ部材２との嵌合力が得にくくスペーサ部材２が移動しやすくなるとともに、雪によって網目が閉塞され、スペーサ部材２を設けることによる雪の保持スペースの減少量が大きくなりやすく、一方、５０ｍｍより大きいと、スペーサ部材としての剛性を得にくくなる。
なお、このネット部材の断面形状は、円形、矩形、多角形等、任意の形状のものを用いることができる。
【００１７】
そして、スペーサ部材２に用いる筒状のネット部材は、特に限定されるものではないが、カバー部材１と同様、例えば、周上に縦糸を連続押し出ししながら横糸を溶融着することで筒状のネット部材を連続的に製造することにより得ることができる（特開昭６０−７８７１６号公報参照。タキロン社製「トリカルパイプ」（商品名））。
また、ネット部材を構成する合成樹脂には、特に限定されるものではないが、好ましくは、紫外線劣化防止剤を配合した高密度ポリエチレン樹脂を用いることができ、これにより、スペーサ部材２の耐久性を一層向上することができる。
また、この合成樹脂には、比較的硬質の材料を用いることが好ましく、これにより、カバー部材１と主柱材Ｓとの間に形成する間隙の寸法を所定の値に設定することができる。
【００１８】
そして、このネット部材は、縦糸に横糸が溶融着した一体角目構造であることと相俟って、特に、低温下における繰り返し応力に対する耐久性に優れ、鉄塔に装着された劣悪な環境下での長期間（１０年程度）の使用に十分耐えることができる。
【００１９】
また、このネット部材は、スペーサ部材２に用いるに際して、筒状のネット部材を輪切り状に切断することによって、少なくとも一端に筒軸方向の糸（縦糸）２１が突出するようにし、このスペーサ部材２の突出した筒軸方向の糸（縦糸）２１が、カバー部材１の網目に挿入、係止されるようにする。
これにより、カバー部材１とスペーサ部材２との一体性が向上し、鉄塔を構成する主柱材Ｓにカバー部材１及びスペーサ部材２を一層安定して取り付けることができる。
【００２０】
そして、この鉄塔主柱の落雪防止装置を構築するに当たっては、図１（ａ）に示すように、スペーサ部材２を、筒軸方向の糸（縦糸）２１が外向きに突出し、鉄塔を構成する主柱材Ｓを囲むように針金３等を用いて取り付けた後、図１（ｂ）に示すように、その外周に、主柱材Ｓを囲繞して覆うようにカバー部材１を設けるようにすることにより、スペーサ部材２の突出した筒軸方向の糸（縦糸）２１が、カバー部材１の網目に挿入、係止されるようにする。
この場合、カバー部材１の端縁は、針金や汎用の合成樹脂製の結束部材等を用いて固定するようにする。
これにより、カバー部材１と主柱材Ｓとの間に所定の間隙（例えば、スペーサ部材２の筒軸方向の寸法：２０〜５０ｍｍに対応する隙間）を形成することができるとともに、カバー部材１からのステップボルトＳｔの突出寸法を所定の値に設定して、作業者の安全性を確保できる。
【００２１】
この鉄塔主柱の落雪防止装置は、鉄塔を構成する主柱材Ｓを囲繞して覆うカバー部材１を設けるとともに、カバー部材１と主柱材Ｓとの間に所定の間隙を形成するためのスペーサ部材２を設けるようにしているので、設備が大がかりにならず、エネルギの供給が不要で、設備コスト及び保守コストを低減でき、さらに、カバー部材１に目合い寸法３０〜６０ｍｍの合成樹脂製のシート状のネット部材を用いるとともに、スペーサ部材２に合成樹脂製の筒状で少なくとも一端に筒軸方向の糸（縦糸）２１が突出したネット部材を用い、スペーサ部材２の突出した筒軸方向の糸（縦糸）２１が、カバー部材１の網目に挿入、係止されるようにしているので、カバー部材１とスペーサ部材２とが嵌合することによってスペーサ部材２の移動が阻止されてカバー部材１とスペーサ部材２との一体性が向上し、鉄塔を構成する主柱材Ｓにカバー部材１及びスペーサ部材３を安定して、かつ、手間をかけずに取り付けることができ、スペーサ部材２の取付箇所を低減できることと相俟ってメンテナンスが容易になり、また、スペーサ部材２を設けることによる雪の保持スペースの減少量が少なく、カバー部材１と主柱材Ｓとの間に形成された間隙に雪を安定して保持することができる。
そして、カバー部材１と主柱材Ｓとの間に形成された間隙に保持された雪は、溶けるまでそのまま保持され、また、万一落下しても、カバー部材１によって分割されて大きな塊のままで落下することがないため、雪塊や氷塊となって落下することによる落雪被害を確実に防止することができる。
【００２２】
以上、本発明の鉄塔主柱の落雪防止装置について、その実施例に基づいて説明したが、本発明は上記実施例に記載した構成に限定されるものではなく、その趣旨を逸脱しない範囲において適宜その構成を変更することができるものである。
【産業上の利用可能性】
【００２３】
本発明の鉄塔主柱の落雪防止装置は、設備が大がかりにならず、エネルギの供給が不要で、設備コスト及び保守コストを低減できるとともに、鉄塔を構成する主柱材にカバー部材及びスペーサ部材を安定して、かつ、手間をかけずに取り付けることができることから、送電線用等の各種鉄塔の主柱の落雪防止の用途に好適に用いることができる。
【図面の簡単な説明】
【００２４】
【図１】本発明の鉄塔支部材の落雪防止装置及びそれに用いるカバー部材の配設方法の一実施例を示し、（ａ）はスペーサ部材の取付状態を示す説明図、（ｂ）は鉄塔支部材の落雪防止装置を示す説明図である。
【符号の説明】
【００２５】
１    カバー部材
２    スペーサ部材
２１  筒軸方向の糸（縦糸）
Ｓ    主柱材
Ｓｔ  ステップボルト
【図１】
0004837440.tif 000002